(57)【要約】【課題】ＤＶＨＳなどデジタル放送チューナーを持たない機器にプログラムアップデートする方法を提供する。【解決手段】デジタル放送受信機が受信したダウンロードデータを、デジタル通信手段を介してＤＶＨＳなどチューナーを持たない外部接続機器へ転送することにより外部接続機器のプログラムの書き換えを行う。【選択図】  図１
2004356697.tif 000002
【特許請求の範囲】
【請求項１】
デジタル放送信号を受信し、前記デジタル放送信号に基づいて映像信号および音声信号を出力するデジタル放送受信機および前記デジタル放送受信機に接続して使用される外部接続機器からなるシステムであって、前記デジタル放送受信機が、デジタル放送を受信可能なチューナーと、前記チューナー出力で受信したデジタル信号を復調してトランスポートストリームを出力する復調手段と、前記復調手段の出力するトランスポートストリームからダウンロードデータを抽出する抽出手段と、前記ダウンロードデータのデータの展開・蓄積を行う一時メモリ手段と、当該デジタル放送受信機に接続された外部接続機器の情報を取得するデータ取得手段と、前記ダウンロードデータが前記外部接続機器を対象にしたデータか否か識別する手段と、前記ダウンロードデータが前記識別手段によって外部接続機器を対象にしたものと判断した場合に、前記ダウンロードデータを前記外部接続機器に送信するデジタル通信手段を備えるとともに、前記外部接続機器が、前記デジタル放送受信機からダウンロードデータを受信するデジタル通信手段と、前記デジタル通信手段を介して受信したダウンロードデータの展開・蓄積を行う一時メモリ手段と、前記ダウンロードデータが当該外部接続機器を対象にしたデータか否かを識別する識別手段と、前記ダウンロードデータが当該外部接続機器のデータである場合そのデータを書き換え可能なメモリ手段に記憶するメモリ制御手段とを備えたことを特徴とするデジタル放送受信機システム。
【請求項２】
前記外部接続機器に送信するダウンロードデータに、前記外部接続機器のメーカーＩＤ、機種識別を示すモデルＩＤ、ソフトバージョンを示すバージョンＩＤ、ダウンロードの開始時刻、ダウンロードの継続時間、およびダウンロードプログラムを含むことを特徴とする請求項１に記載のデジタル放送受信機システム。
【請求項３】
前記デジタル放送受信機のデータ取得手段によって取得する前記外部接続機器の情報に、メーカーＩＤ、機種識別を示すモデルＩＤ、ソフトバージョンを示すバージョンＩＤ、外部接続機器に設定されている時刻、外部接続機器の通電状態を含むことを特徴とする請求項１に記載のデジタル放送受信機システム。
【請求項４】
前記デジタル放送受信機が、一時メモリ手段に記憶した前記外部接続機器へのダウンロード情報を表示手段に表示制御する手段を有するとともに、前記データ取得手段によって取得された前記外部接続機器の状態を表示手段に表示する制御手段を有ことを特徴とする請求項１に記載のデジタル放送受信機システム。
【請求項５】
前記デジタル放送受信機が、現在時刻を検知する手段と、前記現在時刻データを前記外部接続機器に送信する手段とを有するとともに、前記外部接続機器が、現在時刻を設定する手段を有し、前期デジタル放送受信機から前記外部接続機器へ送信した現在時刻データで、前記外部接続機器の現在時刻データを書き換えることを特徴とする請求項１に記載のデジタル放送受信機システム。
【請求項６】
前記デジタル放送受信機のデータ取得手段によって取得された前記外部接続機器の通電状態を識別する手段と、前記外部接続機器が通電していなければ前記外部接続機器に対し通電を指示する指示手段を有することを特徴とする請求項３に記載のデジタル放送受信機システム。
【請求項７】
デジタル放送信号を受信し、前記デジタル放送信号に基づいて映像信号および音声信号を出力するデジタル放送受信機および前記デジタル放送受信機に接続して使用される外部接続機器におけるダウンロード方法であって、前記デジタル放送受信機が、デジタル放送をチューナーで受信し、前記チューナーで受信したデジタル信号を復調してトランスポートストリームとして出力し、前記トランスポートストリームからダウンロードデータを抽出し、前記ダウンロードデータのデータの展開・蓄積を一時メモリ手段行い、当該デジタル放送受信機に接続された外部接続機器の情報を取得し、前記ダウンロードデータが前記外部接続機器のデータか否か識別し、前記ダウンロードデータが前記外部接続機器のものと判断した場合に、前記外部接続機器にデジタル通信手段を介してダウンロードデータを送信し、前記外部接続機器が、前記デジタル放送受信機から前記デジタル通信手段を介してダウンロードデータを受信し、前記受信したダウンロードデータの展開・蓄積を一時メモリ手段で行い、前記ダウンロードデータが当該外部接続機器のデータか否かを識別し、前記ダウンロードデータが当該外部接続機器のデータである場合そのデータを書き換え可能なメモリ手段に記憶することを特徴とする請求項１に記載のデジタル放送受信機システムのダウンロード方法。
【請求項８】
前記ダウンロードデータに、前記外部接続機器のメーカーＩＤ、機種識別を示すモデルＩＤ、ソフトバージョンを示すバージョンＩＤ、ダウンロードの開始時刻、ダウンロードの継続時間、ダウンロードデータのサイズ、およびダウンロードプログラムを含むことを特徴とする請求項２に記載のデジタル放送受信機システムのダウンロード方法。
【請求項９】
前記デジタル放送受信機のデータ取得手段によって取得する前記外部接続機器の情報に、メーカーＩＤ、機種識別を示すモデルＩＤ、ソフトバージョンを示すバージョンＩＤ、外部接続機器に設定されている時刻、外部接続機器の通電状態を含むことを特徴とする請求項３に記載のデジタル放送受信機システムのダウンロード方法。
【請求項１０】
前記デジタル放送受信機が、一時メモリ手段に記憶した前記外部接続機器へのダウンロード情報を表示手段に表示するとともに、前記データ取得手段によって取得された前記外部接続機器の状態を表示手段に表示することを特徴とする請求項４に記載のデジタル放送受信機システムのダウンロード方法。
【請求項１１】
前記デジタル放送受信機が、当該デジタル放送受信機の時刻データを前記外部接続機器に送信する手段を有することを特徴とする請求項５に記載のデジタル放送受信機システム。
【請求項１２】
前記デジタル放送受信機のデータ取得手段によって取得された前記外部接続機器の通電状態を識別し、前記外部接続機器が通電していなければ前記外部接続機器に対し通電を指示することを特徴とする請求項６に記載のデジタル放送受信機システムのダウンロード方法。
【発明の詳細な説明】
【０００１】
【発明の属する技術分野】
本発明はデジタル放送を受信して復調するデジタル放送受信機とデジタル放送受信機に接続されるデジタル放送関連機器からなるデジタル放送受信機システム、とくにデジタル放送受信機を介してデジタル放送受信機に接続された外部接続機器へプログラムをダウンロードする方法に関する。
【０００２】
【従来の技術】
従来この種のデジタル放送受信機システムとしては、例えば特許文献１に記載されているようなものがあった。図１１は前記特許文献１に記載された従来のデジタル放送受信機の構成を示すブロック図であり、デジタル放送受信装置１０４は、受信部２０１と、チューナ２０２と、復調部２０３と、トランスポートデコーダ２０４と、音声デコーダ２０５と、画像デコーダ２０６と、ＣＰＵ２０７と、フラッシュＲＯＭ２０８と、メインＲＡＭ２０９と、ＩＣカード２１０と、画面合成部２１１と、デジタルＩ／Ｆ２１２とを備え、ＣＰＵバス２１３で図示するように各部が接続されている。デジタルＩ／Ｆ２１２は、外部のデジタル記録再生機器である例えば、ＤＶＨＳ（デジタルビデオホームシステム）デッキ２１４と接続されている。音声デコーダ２０５は、外部のスピーカ２１５と接続されている。画面合成装置２１１は、外部のモニタ１０５と接続されている。デジタル放送信号で当該デジタル放送受信機のプログラムデータがダウンロードされているときに、デジタル放送受信機で何らかの処理、例えばＲＡＭに蓄積された制御プログラムをフラッシュＲＯＭに書き込みをしている間は、ＲＡＭへのデータ書き込みが行えないので、制御プログラムの受信ができないことがある。このため、受信できなかった制御プログラムを受信するために、次の周期に送信されて来るまで待つ必要がある。したがって、制御プログラムを短時間にダウンロードするためには、送信されてくる制御プログラムのサイズ分のＲＡＭを実装しておかなければならない。このため従来例では、ダウンロードデータをパーシャルＴＳの規格にしたがってデジタルＩ／Ｆに出力して、ＤＶＨＳデッキ２１４のＤＶＨＳテープに記録することとしている。
【０００３】
【特許文献１】
特開２００２−２１８３４４号公報
【０００４】
【発明が解決しようとする課題】
しかしながら前記従来の構成では、ダウンロードによりプログラムの書き換えを行われる対象機器はデジタル放送受信機であり、デジタル放送受信機に接続されたＤＶＨＳはダウンロードデータの記録用として用いられているため、ＤＶＨＳのプログラムを書き換えることはできなかった。
【０００５】
ＤＶＨＳなどデジタル放送チューナーを持たない機器にプログラムアップデートの必要が生じた際には、デジタル放送のダウンロードでアップデートすることはできないため、サービスマンが利用者宅へ訪問してメモリーカードなどの記録媒体を利用してプログラムの書き換えを行うか、メーカーのサービス拠点へ持ち込んで前記記録媒体あるいはプログラムの書き換えツールによりプログラムを書き換える必要があり、多大な労力と費用がかかっていた。
【０００６】
本発明は上記課題を解決するために、デジタル放送受信機が受信したダウンロードデータをデジタル通信手段を介してＤＶＨＳなどチューナーを持たない外部接続機器へ転送することによりプログラムの書き換えを行うものである。その結果、プログラム書き換えのためにサービスマンが利用者宅を訪問することも、機器をメーカーのサービス拠点へ持ち込むことも必要なくなり、多大な労力と費用の削減が可能になる。
【０００７】
【課題を解決するための手段】
上記従来の課題を解決するために、本発明ではデジタル放送信号を受信し、前記デジタル放送信号に基づいて映像信号および音声信号を出力するデジタル放送受信機および前記デジタル放送受信機に接続して使用される外部接続機器からなるシステムであって、前記デジタル放送受信機が、デジタル放送を受信可能なチューナーと、前記チューナー出力で受信したデジタル信号を復調してトランスポートストリームを出力する復調手段と、前記復調手段の出力するトランスポートストリームからダウンロードデータを抽出する抽出手段と、前記ダウンロードデータのデータの展開・蓄積を行う一時メモリ手段と、当該デジタル放送受信機に接続された外部接続機器の情報を取得するデータ取得手段と、前記ダウンロードデータが前記外部接続機器のデータか否か識別する手段と、前記ダウンロードデータが前記識別手段によって前記外部接続機器のものと判断した場合に、前記外部接続機器にダウンロードデータを送信するデジタル通信手段を備えるとともに、前記外部接続機器が、前記デジタル放送受信機からダウンロードデータを受信するデジタル通信手段と、前記デジタル通信手段を介して受信したダウンロードデータの展開・蓄積を行う一時メモリ手段と、前記ダウンロードデータが当該外部接続機器のデータか否かを識別する識別手段と、前記ダウンロードデータが当該外部接続機器のデータである場合そのデータを書き換え可能なメモリ手段に記憶するメモリ制御手段とを備えたことを特徴とするデジタル放送受信機システムとしている。
【０００８】
本構成によって、デジタル放送受信機が受信したダウンロードデータをデジタル通信手段を介して外部接続機器へ転送し、外部接続機器のプログラムの書き換えを行うことができる。
【０００９】
【発明の実施の形態】
以下に本発明の実施の形態について、図面を参照しながら説明する。
【００１０】
（実施の形態１）
図１は本発明の実施の形態１におけるデジタル放送受信機システムの構成を示すブロック図である。デジタル放送受信機（以下受信機と呼ぶ）１は、チューナー１１、復調部１２、トランスポートデコード部１３、ＡＶデコード部１４、表示制御部１５、は加算器１６、一時メモリ１７、プログラムメモリ１８、ＣＰＵ１９、リモコンインターフェース２０、デジタル通信インターフェース２１を備えている。ＤＶＨＳビデオデッキ（以下ＤＶＨＳと呼ぶ）１２は、デジタル通信インターフェース４１、リモコンインターフェース４２、ＣＰＵ２０３、一時メモリ４４、プログラムメモリ４５、ＤＶＨＳフォーマット変換部４６、アンプ４７、記録・再生部４８、メカ制御部４９を備えている。表示手段２は受信機１に接続される。
【００１１】
上記構成を詳述する。デジタル放送信号はアンテナ（図示せず）で受信され、ＲＦ信号としてチューナー１１に入力される。アンテナは衛星デジタル放送の場合にはパラボラアンテナ、地上デジタル放送の場合にはＵＨＦアンテナが使用される。チューナー１１は利用者が希望するチャンネルを選局し、復調部１２はＢＳデジタル放送の場合には例えば８ＰＳＫ、地上デジタル放送の場合には例えば６４ＱＡＭなどの復調を行い、トランスポートストリーム（以下ＴＳと呼ぶ）を出力する。トランスポートデコード部１３は、前記ＴＳから必要なパケットをフィルタリングし、ビデオ・オーディオのパケットはＡＶデコード部１４に出力し、データ放送、字幕、ダウンロードなどのデータは一時メモリ１７に転送し蓄積される。ビデオ・オーディオパケットはＡＶデコード部１４でアナログの信号に変換され、ビデオ信号は加算器１６に送られ、オーディオ信号はアンプ（図示せず）を介して外部接続されたスピーカー（図示せず）に出力される。ＣＰＵ１９は一時メモリ１７に蓄積されたパケットデータのヘッダ情報を識別し、データ放送および字幕のデータは表示制御部１５に送られ、データ放送プレーンや字幕プレーンを生成し、加算器１６でビデオ信号と重畳して出力し、表示装置３で表示される。ＣＰＵ１９は前述のように一時メモリ１７に蓄積されたパケットデータのヘッダ部を識別するとともに、受信機１の各部を制御する。プログラムメモリ１８は前記ＣＰＵ１９が各部を制御するために必要なプログラムが格納され、書き換え可能なフラッシュＲＯＭなどで構成されている。リモコンインターフェース２０は該受信機１を操作するリモコン（図示せず）からの赤外線信号を受信する。
【００１２】
デジタル放送信号をＤＶＨＳ４へ録画する際には、トランスポートデコード部１３は所望のビデオ・オーディオパケットを、パーシャルＴＳとしてデジタル通信インターフェース（以下デジタル通信Ｉ／Ｆ）２１に出力する。デジタル通信Ｉ／Ｆ２１は、通信ケーブル３を介してＤＶＨＳ４のデジタル通信Ｉ／Ｆ４１と接続されビデオ・オーディオパケットが転送される。デジタル通信Ｉ／Ｆ４１で受信された前記ビデオ・オーディオパケットは一時メモリ４４に蓄積され、ＤＶＨＳフォーマット変換部４６に転送される。前記ビデオ・オーディオパケットはＤＶＨＳフォーマット変換部４６で磁気テープに記録するための変換を行った後、アンプ４７で増幅され、記録再生部４８で磁気テープに記録される。メカ制御部４９は記録再生部４８を制御する。ＣＰＵ４３は一時メモリ４４に蓄積されたパケットデータのヘッダを識別するとともに、ＤＶＨＳ４の各ブロックを制御する。プログラムメモリ４５は前記ＣＰＵ４３がＤＶＨＳ４の各部を制御するために必要なプログラムが格納され、書き換え可能なフラッシュＲＯＭなどで構成されている。リモコンインターフェース４２は該ＤＶＨＳ４を操作するリモコン（図示せず）からの赤外線信号を受信する。
【００１３】
図２は本発明の実施の形態１におけるデジタル放送で送信されてくるソフトウェア・ダウンロード・トリガー・テーブル（以下ＳＤＴＴと呼ぶ）のデータ構造を示す説明図で本発明に関連の部分を示している。ＳＤＴＴはダウンロードのスケジュール、更新対象の受信機種別などをあらかじめ送信して、利用者および機器に告知する情報で、社団法人電波産業会（以下ＡＲＩＢと呼ぶ）の標準規格ＳＴＤ−Ｂ２１などに規定されている。ｔａｂｌｅ＿ｉｄ３００はＳＤＴＴであることを示す識別データ、ｔａｒｇｅｔ＿ｖｅｒｓｉｏｎ３０１は今回のダウンロードでアップデート対象となるソフトウェアのバージョン、ｎｅｗ＿ｖｅｒｓｉｏｎ３０２は今回ダウンロードされるソフトウェアのバージョン、ｍａｋｅｒ＿ｉｄ３０３は製造メーカーに割り当てられた識別データ、ｍｏｄｅｌ＿ｉｄ３０４は今回のダウンロードでアップデート対象となる機種の識別データ、ｓｔａｒｔ＿ｔｉｍｅ３０７はダウンロード開始時刻、ｄｕｒａｔｉｏｎ３０８はダウンロードの継続時間、ｄｏｗｎｌｏａｄ＿ｉｄ３０９はダウンロードの識別データを示す。ダウンロードが時刻を変えて複数回行われる場合にはｓｔａｒｔ＿ｔｉｍｅおよびｄｕｒａｔｉｏｎは複数記述することが出来る。
【００１４】
図３は本発明の実施の形態１におけるＤＶＨＳ４の一時メモリ４４に記憶されるデータの説明で、ｖｅｒｓｉｏｎ４０１からｍｏｄｅｌ＿ｉｄ４０３はＤＶＨＳ４のプログラムメモリ４５に記憶されているプログラムの管理情報、ｄｏｗｎｌｏａｄ＿ｐｅｒｍｉｓｓｉｏｎ４１５からｕｓｅｒ＿ｐｅｒｍｉｓｓｉｏｎ４１６は初期設定領域情報、ｔａｒｇｅｔ＿ｖｅｒｓｉｏｎ４２１からｄｕｒａｔｉｏｎ４２８は前記デジタル放送受信機１が取得して抽出したダウンロード告知情報である。ｖｅｒｓｉｏｎ４０１はＤＶＨＳ４で現在使用されているプログラムのバージョン、ｍａｋｅｒ＿ｉｄ４０２は製造メーカーに割り当てられた識別データ、ｍｏｄｅｌ＿ｉｄ４０３は機種の識別データ、ｕｐｄａｔｅ４０５はこのプログラムがアップデートされた日時、ｄｏｗｎｌｏａｄ＿ｐｅｒｍｉｓｓｉｏｎ４１５はＤＶＨＳ４に対してダウンロードを自動で実行するか、手動で実行するかのデータで、初期状態では自動に設定されているが機器の初期設定において利用者によって選択可能となっている。ｕｓｅｒ＿ｐｅｒｍｉｓｓｉｏｎ４１６は利用者がダウンロードを許可するか否かのデータ、ｔａｒｇｅｔ＿ｖｅｒｓｉｏｎ４２１からｄｕｒａｔｉｏｎ４２８は、図２のｔａｒｇｅｔ＿ｖｅｒｓｉｏｎ３０１からｄｕｒａｔｉｏｎ３０８と同じデータである。
【００１５】
図４は本発明の実施の形態１における受信機１の一時メモリ１７に記憶されるデータの説明で、ｎｕｍｂｅｒ＿ｏｆ＿ｓｅｔ５００からｓｔａｔｕｓ５０７までは接続機器情報領域で、ｎｕｍｂｅｒ＿ｏｆ＿ｓｅｔ５００はデジタル通信Ｉ／Ｆ２１に接続されプログラムアップデートの対象になる機器数で、本実施例では１としている。ｖｅｒｓｉｏｎ５０１からｕｓｅｒ＿ｐｅｒｍｉｓｓｉｏｎ５０６は、それぞれＤＶＨＳ４のプログラムメモリに記憶されているｖｅｒｓｉｏｎ４０１からｍｏｄｅｌ＿ｉｄ４０３およびｄｏｗｎｌｏａｄ＿ｐｅｒｍｉｓｓｉｏｎ４１５、ｕｓｅｒ＿ｐｅｒｍｉｓｓｉｏｎ４１６と同じデータである。ｎｕｍｂｅｒ＿ｏｆ＿ｓｅｔ５００が２以上の場合には、ｍａｋｅｒ＿ｉｄ、ｍｏｄｅｌ＿ｉｄ、ｖｅｒｓｉｏｎを記憶する領域が機器数分確保される。ｓｔａｔｕｓ５０７は接続機器が通信可能か否かのデータ、ｄｏｗｎｌｏａｄ＿ｔｉｍｅｓ５１０以下はダウンロード告知情報領域で、ｄｏｗｎｌｏａｄ＿ｔｉｍｅｓ５１０はダウンロード予約の件数で本実施例では１としている。ｔａｒｇｅｔ＿ｖｅｒｓｉｏｎ５１１からｄｕｒａｔｉｏｎ５１８はＳＤＴＴで送られたダウンロード予定のデータで、図２のｔａｒｇｅｔ＿ｖｅｒｓｉｏｎ３０１からｍｏｄｅｌ＿ｉｄ３０４およびｓｔａｒｔ＿ｔｉｍｅ３０７、ｄｕｒａｔｉｏｎ３０８と同じデータである。ｄｏｗｎｌｏａｄ＿ｔｉｍｅｓ５１０が２以上の時は、ｔａｒｇｅｔ＿ｖｅｒｓｉｏｎ５１１からｄｕｒａｔｉｏｎ５１８までの領域がダウンロード回数分確保される。
【００１６】
図５は本発明の実施の形態にかかる受信機１のダウンロード予約表示例である。（ａ）は通常視聴画面での利用者への通知例、（ｂ）は図４のｄｏｗｎｌｏａｄ＿ｐｅｒｍｉｓｓｉｏｎ５０５が「自動」と設定されている場合のダウンロード予約表示画面例、（ｃ）は図４のｄｏｗｎｌｏａｄ＿ｐｅｒｍｉｓｓｉｏｎ５０５で「手動」と設定されていてる場合のダウンロード予約表示画面例、（ｄ）は図４のｓｔａｔｕｓ５０７が「ＮＧ」と設定されている場合のダウンロード予約表示画面例である。
【００１７】
図６はデジタル放送で送信されるＤｏｗｎｌｏａｄＩｎｆｏＩｎｄｉｃａｔｉｏｎ（以下ＤＩＩと呼ぶ）を示す説明図で、本発明に関連の部分を示している。ＤＩＩはＩＳＯ／ＩＥＣ１３８１８−６で規定されるＤＳＭ−ＣＣデータカルーセルで伝送されるデータモジュールの属性を示すデータであり、ダウンロードソフトウェア本体が入ったＤｏｗｎｌｏａｄＤａｔａＢｌｏｃｋ（以下ＤＤＢと呼ぶ）を取得するための情報が記載されている。Ｄｏｗｎｌｏａｄ＿ｉｄ６００はダウンロードの識別データ、ｍａｋｅｒ＿ｉｄ６０１は製造メーカーの識別データ、ｍｏｄｅｌ＿ｉｄ６０２は機種の識別データ、ｖｅｒｓｉｏｎ＿ｉｄ６０３は送信されるプログラムのバージョンであり、ｍａｋｅｒ＿ｉｄ６０１からｖｅｒｓｉｏｎ＿ｉｄ６０３はＤＩＩ内のｃｏｍｐａｔｉｂｉｌｉｔｙＤｅｓｃｒｉｐｔｅｒに記述されている。
【００１８】
次に上記のように構成された本発明の受信機システムの動作について図１から図６を用いて説明する。
【００１９】
ＤＶＨＳ４が、デジタル通信Ｉ／Ｆ２１および４１を介して受信機１と接続されると、受信機１は図３に示したＤＶＨＳ４の一時メモリ４４に記憶されたプログラム管理情報、および初期設定情報のデータを取得し、図４に示すように一時メモリ１７の接続機器情報領域に記憶する。ｕｓｅｒ＿ｐｅｒｍｉｓｓｉｏｎ５０６は利用者がダウンロードを許可するか否かのデータ、ｓｔａｔｕｓ５０７はＤＶＨＳ４の状態を示すデータであり、受信機１がＤＶＨＳ４と通信を行った際に、通信可能か否かが記憶される。
【００２０】
ダウンロドードが行われることを告知するＳＤＴＴは、通常のデジタル放送中に送信される。ＳＤＴＴはトランスポートデコード部１３から一旦一時メモリ１７のテンポラリ領域に蓄積され、ＳＤＴＴの内容はＣＰＵ１９で識別される。ＣＰＵ１９は一時メモリ１７に記憶されたＤＶＨＳ４のｍａｋｅｒ＿ｉｄ５０３、ｍｏｄｅｌ＿ｉｄ５０４と、ＳＤＴＴのｍａｋｅｒ＿ｉｄ３０３、ｍｏｄｅｌ＿ｉｄ３０４を照合し、合致するとＤＶＨＳ４のｖｅｒｓｉｏｎ５０１とＳＤＴＴのｔａｒｇｅｔ＿ｖｅｒｓｉｏｎ３０１を比較し、ＳＤＴＴで告知されたダウンロードデータがＤＶＨＳ４のプログラムを対象にしたものか否かを判定する。ＤＶＨＳ４のプログラムを対象にしていると判定すると、一時メモリ１７のテンポラリ領域にあったＳＤＴＴのデータのｔａｒｇｅｔ＿ｖｅｒｓｉｏｎ３０１からｍｏｄｅｌ＿ｉｄ３０４、ｓｔａｒｔ＿ｔｉｍｅ３０７からｄｏｗｎｌｏａｄ＿ｉｄ３０９を図４に示す一時メモリ１７のダウンロード告知情報領域のｔａｒｇｅｔ＿ｖｅｒｓｉｏｎ４２１からｄｏｗｎｌｏａｄ＿ｉｄ４２９に移動する。
【００２１】
次に予約されたダウンロード情報の確認手段について説明する。一時メモリ１７のダウンロード予約領域に予約が設定されると、ＣＰＵ１９は表示制御部１５は図５（ａ）に示すように利用者に通知すべきメールがあることを表示する。メールの内容は図５（ｂ）のようになっており、ダウンロード開始日時、対象機種が表示される。このとき図４のｄｏｗｎｌｏａｄ＿ｐｅｒｍｉｓｓｉｏｎ５０５で、ＤＶＨＳ４へのダウンロードが「自動」に設定されていれば、図５（ｂ）に示すように利用者へダウンロード実行の有無を求めるメッセージは表示しない。図４のｄｏｗｎｌｏａｄ＿ｐｅｒｍｉｓｓｉｏｎ５０５で、ＤＶＨＳ４へのダウンロードが「手動」に設定されていれば、図５（ｃ）に示すように利用者へダウンロード実行の有無を求めるメッセージを表示し、利用者はリモコンのキー入力によって「はい」か「いいえ」を選択し、決定キーで決定することができる。この場合の利用者によるダウンロード実行の有無は、一時メモリ１７の接続機器情報領域のｕｓｅｒ＿ｐｅｒｍｉｓｓｉｏｎ５０６に記憶される。ＤＶＨＳ４への接続がはずれていたり、ＤＶＨＳ４の主電源で切れていたりして、ＤＶＨＳ４と正常に通信できない場合には、図４に示すｓｔａｔｕｓ５０７に「ＮＧ」のデータが書き込まれ、図５（ｄ）に示すように利用者に接続や電源を確認するように促すメッセージを表示する。図４のｄｏｗｎｌｏａｄ＿ｐｅｒｍｉｓｓｉｏｎ５０５で「自動」と設定されているか、あるいはｄｏｗｎｌｏａｄ＿ｐｅｒｍｉｓｓｉｏｎ５０５で「手動」と設定されていてｕｓｅｒ＿ｐｅｒｍｉｓｓｉｏｎ５０６で「許可」されていれば、受信機１の一時メモリ１７のダウンロード予約領域に設定されているｔａｒｇｅｔ＿ｖｅｒｓｉｏｎ５１１からｄｕｒａｔｉｏｎ５１８は、デジタル通信Ｉ／Ｆ２１および４１を介して、ＤＶＨＳ４の一時メモリ４４のダウンロード告知情報領域のｔａｒｇｅｔ＿ｖｅｒｓｉｏｎ４２１からｄｕｒａｔｉｏｎ４２８に送信される。
【００２２】
受信機１の時刻設定は、デジタル放送信号によって送信される時刻日付テーブル（Ｔｉｍｅ  ａｎｄ  Ｄａｔｅ  Ｔａｂｌｅ、以下ＴＤＴと呼ぶ）で設定された時刻日付データを取得することによって行われる。ＴＤＴはＡＲＩＢ標準規格ＳＴＤ−Ｂ１０などで規定されている。ＴＤＴはトランスポートデコード部１３から一時メモリ１７のテンポラリ領域に格納され、ＣＰＵ１９はヘッダー部のテーブル識別データが０ｘ７０であるとＴＤＴであると認識し、時刻データを取得して更新する。ＤＶＨＳ４はデジタル放送チューナーを持たないため、時刻の設定は利用者がリモコン等で時刻データの入力を行うが、利用者が時刻の設定をしていない、あるいは設定してあっても時刻がずれている場合がある。このような場合にはダウンロードデータの転送を行った際に、ＤＶＨＳ４の準備ができない恐れがある。したがってＤＶＨＳ４と受信機１の時刻データが同期している必要がある。受信機１のＣＰＵ１９は、現在デジタルＩ／Ｆ２１を介してＤＶＨＳ４に対して現在時刻を送信するよう指示し、ＤＶＨＳ４はデジタルＩ／Ｆ４１を介して指示を受信し、ＣＰＵ４３はＣＰＵ４３が保持する時刻データを受信機１に送信する。受信機１デジタル通信Ｉ／Ｆ２１を介して受信した時刻データは、一時メモリ１７のテンポラリ領域に記憶され、ＣＰＵ１９はＣＰＵ１９が保持する時刻データと比較する。通信時間のタイムラグを考慮して、時刻データの差が１秒以内ならＤＶＨＳ４の時刻は正しいと判断し、ＤＶＨＳ４の時刻データを更新しない。１秒以上差があった場合には、受信機１のＣＰＵ１９はＣＰＵ１９の保持する時刻データをデジタル通信Ｉ／Ｆ２１を介して送信し、ＤＶＨＳ４はデジタルＩ／Ｆ４１を介して受信した時刻データを一時メモリ４４のテンポラリ領域に記憶し、ＣＰＵ４３が保持する時刻データをアップデートする。転送処理によって受信機１とＤＶＨＳ４の時刻データには数十から数百ｍｓｅｃの時間差が発生するが、ダウンロードデータを受信する際には、ダウンロード開始時刻に前もって通電するので問題にはならない。またＤＶＨＳ本来の録画予約機能に対してもほとんど問題とはならない。なお受信機１が電源をオフしている場合やデジタル放送を受信していない場合には、時刻データはＣＰＵ１９によってカウントアップされる。
【００２３】
受信機１は、現在時刻データと図４のダウンロード告知情報領域のｓｔａｒｔ＿ｔｉｍｅ５１７のデータとを比較し、一定時間前、例えば５分前になると通電し、ダウンロードに割り当てられたチャンネルを選局する。ＤＶＨＳ４も、現在時刻データと図３のｓｔａｒｔ＿ｔｉｍｅ４２７のデータと比較し、一定時間、例えば同じく５分前になると通電し、受信機１に対しデジタル通信Ｉ／Ｆ４１を介して通電通知を送信する。受信機１は、ＤＶＨＳ４からダウンロード開始時刻の２分前になっても通電通知が来なければ、ＤＶＨＳ４に対し通電指示を送信し通電を促す。ＤＶＨＳ４は通電指示を受信すると通電し、受信機１に対し通電したことを送信する。もしＤＶＨＳ４から通電通知が帰ってこなければ、通信ケーブルがはずれている、あるはＤＶＨＳ４の電源コンセントが抜けているなど何らかの異常が発生しているため、受信機１は図４の接続機器情報領域のｓｔａｔｕｓ５０７に「ＮＧ」のデータを書き込み、ダウンロード受信処理を続行する。受信機１は通電の連絡を受けると、電源が入っていなかった原因として、ＤＶＨＳ４が保持する時刻データあるいはダウンロード予約情報が変更あるいは消失していることが考えられるため、受信機１はＤＶＨＳ４に対し時刻データおよびダウンロード予約データｔａｒｇｅｔ＿ｖｅｒｓｉｏｎ５１１からｄｕｒａｔｉｏｎ５１８を送信する。ＤＶＨＳ４がこれらのデータを受け取った後の処理は上述と同じである。
【００２４】
受信機１がダウンロード準備のため通電されると、ＣＰＵ１９はトランスポートデコード部１３に対しＤＩＩを取得するよう設定する。トランスポートデコード部１３はＤＩＩを抽出すると一時メモリ１７に転送する。ＣＰＵ１９は、一時メモリ１７に書き込まれたＤＩＩのｄｏｗｎｌｏａｄＩｄ６００とＳＤＴＴから取得し一時メモリ１７に保持したｄｏｗｎｌｏａｄ＿ＩＤ５１９を比較し、一致すれば次を実行し、一致しなければ再度ＤＩＩを取得する。次にＤＩＩで取得したｍａｋｅｒ＿ｉｄ６０１、ｍｏｄｅｌ＿ｉｄ６０２、ｖｅｒｓｉｏｎ＿ｉｄ６０３を一時メモリ１７のダウンロード告知領域のｍａｋｅｒ＿ｉｄ５１３、ｍｏｄｅｌ＿ｉｄ５１４、ｎｅｗ＿ｖｅｒｓｉｏｎ５１２と比較し、一致すればソフトウェア本体であるＤＤＢを受信し、一致しなければ中断処理を行う。ＤＤＢを取得後一時メモリ１７に展開してＣＲＣチェックを行い、エラーであれば再度ＤＤＢを取得する。
【００２５】
次にプログラム本体をＤＶＨＳ４に転送する手順について説明する。受信機１がダウンロードによりプログラムの取得を完了し図４のｓｔａｔｕｓ５０７が「ＯＫ」になっていると、受信機１はＤＶＨＳ４に対しデジタル通信Ｉ／Ｆ２１を介してプログラム転送通知とＤＩＩで送信されたｍａｋｅｒ＿ｉｄ６０１、ｍｏｄｅｌ＿ｉｄ６０２、ｖｅｒｓｉｏｎ＿ｉｄ６０３を送信し、プログラムの転送を開始する。ＤＶＨＳ４はデジタル通信Ｉ／Ｆ４１を介してプログラム転送の通知を受け取ると、受信したデータを一時メモリ４４に蓄積する。ＣＰＵ４３は受信したｍａｋｅｒ＿ｉｄ、ｍｏｄｅｌ＿ｉｄ、ｖｅｒｓｉｏｎ＿ｉｄを、一時メモリ４４のダウンロード告知領域のｍａｋｅｒ＿ｉｄ４２３、ｍｏｄｅｌ＿ｉｄ４２４、ｎｅｗ＿ｖｅｒｓｉｏｎ４２２と比較し、一致すれば所定の手順でプログラムメモリ４５の書き換えを実行する。一致しなければ、該当のダウンロード予約データ、プログラム本体は破棄され処理は中断される。ＤＶＨＳ４はプログラムメモリの書き換え実行あるいはプログラム破棄の通知を受信機１に送信する。受信機１は通知を受信するとダウンロード予約データ、プログラム本体データを破棄する。図４のｓｔａｔｕｓ５０７が「ＮＧ」になっていると、受信機１はあらかじめ決められた時間間隔で決められた回数、例えば１時間ごとに３回、ＤＶＨＳ４と通信可能か試みて、通信可能になれば上記手順でプログラム本体を転送する。決められた回数試みて通信できなければ、予約データおよびプログラム本体は破棄を破棄し処理を中断する。
【００２６】
なお本実施の形態１では、受信機１に接続される機器を例えばＤＶＨＳ４として説明したが、これはＤＶＨＳに限定されるものではなく、受信機１にデジタル通信Ｉ／Ｆを介して接続され、デジタル放送チューナーを持たない機器であれば何でも対象とすることが可能である。また受信機として表示装置を持たないセットトップボックスとして説明したが、表示装置を内蔵したテレビであっても何ら問題ない。
【００２７】
以上のように構成されたデジタル放送受信機システムによれば、デジタル放送受信機が受信したダウンロードデータを、デジタル通信手段を介してチューナーを持たない機器へ転送することによりプログラムの書き換えを行うことができる。
【００２８】
（実施の形態２）
図７は本発明の実施の形態２におけるデジタル放送受信機システムの構成を示す図である。受信機７１は内部ブロックの構成は図１の受信機１と同じで、デジタル通信Ｉ／Ｆ７１１を介して他の機器と接続されている。ケーブル７５、７６、７７はデジタル通信Ｉ／Ｆどうしを接続する通信ケーブルである。ＤＶＨＳ７２、ＤＶＨＳ７３は内部構成が図１のＤＶＨＳ４と同じで、デジタル通信Ｉ／Ｆ７２１、７３１を介して図のように接続される。ＤＶＤレコーダー７４は本実施の形態では内部構成については触れないが、実施の形態１で説明したとおり、ダウンロードデータの転送およびプログラムの書き換えにかかる部分の構成はＤＶＨＳ４と同じである。図８は本発明の実施の形態２における受信機７１に内蔵の一時メモリ（図示せず）の接続機器情報領域を示したもので、ｎｕｍｂｅｒ＿ｏｆ＿ｓｅｔ８００は受信機７１のデジタル通信Ｉ／Ｆ７１１に接続された機器の台数、以下はそれぞれＤＶＨＳ７２、７３、ＤＶＤレコーダー７４のデータである。
【００２９】
ＤＶＨＳ７２、７３、ＤＶＤレコーダー７４が、それぞれデジタル通信Ｉ／Ｆを介して接続されると、受信機７１は各機器のデータを取得して内蔵の一時メモリに記憶する。このとき受信機７１のデジタル通信Ｉ／Ｆ７１１とＤＶＨＳ７３のデジタル通信Ｉ／Ｆ７３１間で通信を行う際に、ＤＶＨＳ７２がスタンバイ状態であってもデジタル通信Ｉ／Ｆ７２１には通電され、通信には支障ないようになっている。この場合図８に示すｎｕｍｂｅｒ＿ｏｆ＿ｓｅｔ８００のデータは３となっており、接続機器情報領域には３台分のデータが記憶される。以下ＳＤＴＴの取得からダウンロードデータの取得、転送、プログラム書き換えの動作は実施の形態１と同様である。
【００３０】
以上のように構成されたデジタル放送受信機システムによれば、デジタル放送受信機が受信したダウンロードデータを、デジタル通信手段を介してチューナーを持たない機器へ転送することにより、プログラムの書き換えを行うことができる。
【００３１】
（実施の形態３）
図９は本発明の実施の形態３におけるデジタル放送受信機システムの構成を示す図である。図９において、受信機９１は携帯型のデジタル放送受信機（以下携帯型受信機と呼ぶ）、外部接続機器９２は外部接続機器９２内蔵のデジタル通信Ｉ／Ｆ９２１で、前記携帯型受信機９１内蔵のデジタル通信Ｉ／Ｆ９１１と、通信ケーブル９３を介して接続される。
【００３２】
実施の形態１におけるデジタル放送受信機システムについてはその内部構成をブロック図で説明したが、外見的には図９に示す携帯型受信機９１であっても何ら差し支えない。図１では表示手段２を受信機１とは別の機器として説明したが、図９のような携帯型受信機９１では表示手段は内蔵されることが考えられる。また外部接続機器９２は携帯型受信機９１と接続され映像あるいは音声の記録、あるいはそれを利用するアプリケーションを有することが考えられる。携帯型受信機９１および外部接続機器９２の基本的な内部構成は、実施の形態１と同じである。ただし外部接続機器９２がＤＶＨＳでない場合には、図１に示すＤＶＨＳに特有のブロックは持たない。このような構成であっても、ＳＤＴＴの取得からダウンロードデータの取得、転送、プログラム書き換えの動作は実施の形態１と同様である。
【００３３】
以上のように構成されたデジタル放送受信機システムによれば、デジタル放送受信機が受信したダウンロードデータをデジタル通信手段を介してチューナーを持たない機器へ転送することにより、プログラムの書き換えを行うことができる。
【００３４】
（実施の形態４）
図１０は本発明の実施の形態４におけるデジタル放送受信機システムの構成を示す図である。図１０において、受信機１００１は携帯型のデジタル放送受信機（以下携帯型受信機と呼ぶ）、外部接続機器１００２は内蔵の無線デジタル通信Ｉ／Ｆ１０１２により、前記携帯型受信機１００１内蔵の無線デジタル通信Ｉ／Ｆ１０１１と、無線で接続される。
【００３５】
本実施の形態４は、実施の形態３のデジタル通信手段を無線にしたもので、このような構成であっても、ＳＤＴＴの取得からダウンロードデータの取得、転送、プログラム書き換えの動作は実施の形態１と同様である。
【００３６】
以上のように構成されたデジタル放送受信機システムによれば、デジタル放送受信機が受信したダウンロードデータを、デジタル通信手段を介してチューナーを持たない機器へ転送することにより、プログラムの書き換えを行うことができる。
【００３７】
【発明の効果】
以上のように本発明のデジタル放送受信機システムによれば、デジタル放送受信機が受信したダウンロードデータをデジタル通信手段を介してチューナーを持たない機器へ転送することにより、プログラムの書き換えを行うことができる。その結果、プログラム書き換えのためにサービスマンが利用者宅を訪問することも、機器をメーカーのサービス拠点へ持ち込むことも必要なくなり、多大な労力と費用の削減が可能になる。
【図面の簡単な説明】
【図１】本発明の実施の形態１におけるデジタル放送受信機システムの構成を示すブロック図
【図２】デジタル放送で送信されるＳＤＴＴのデータ構造を示す説明図
【図３】本発明の実施の形態１におけるＤＶＨＳのプログラムメモリの説明図
【図４】本発明の実施の形態１におけるデジタル放送受信機の一時メモリの説明図
【図５】本発明の実施の形態１におけるダウンロード予約画面の表示例を示す図
【図６】デジタル放送で送信されるＤＩＩの説明図
【図７】本発明の実施の形態２におけるデジタル放送受信機システムの構成を示すブロック図
【図８】本発明の実施の形態２におけるデジタル放送受信機の一時メモリの説明図
【図９】本発明の実施の形態３におけるデジタル放送受信機システムの構成を示す説明図
【図１０】本発明の実施の形態４におけるデジタル放送受信機システムの構成を示す説明図
【図１１】従来のデジタル放送受信機の構成を示すブロック図
【符号の説明】
１  デジタル放送受信機
２  表示手段
３  通信ケーブル
４  ＤＶＨＳ
１１  チューナー
１２  復調部
１３  トランスポートデコード部
１４  ＡＶデコード部
１５  表示制御部
１６  加算器
１７  一時メモリ
１８  プログラムメモリ
１９  ＣＰＵ
２０  リモコンＩ／Ｆ
２１  デジタル通信Ｉ／Ｆ
４１  デジタル通信Ｉ／Ｆ
４２  リモコンＩ／Ｆ
４３  ＣＰＵ
４４  一時メモリ
４５  プログラムメモリ
３００〜３０８  ＳＤＴＴデータ
４０１〜４２８  ＤＶＨＳ４の一時メモリデータ
５００〜５１８  デジタル放送受信機１の一時メモリデータ
６００〜６０５  ＤＩＩデータ
７１  デジタル放送受信機
７２、７３、７４  外部接続機器
７１１、７２１、７３１、７４１  デジタル通信Ｉ／Ｆ
８００  デジタル放送受信機７１の一時メモリデータ
９１  携帯型デジタル放送受信機
９２  携帯型外部接続機器
１００１  携帯型デジタル放送受信機
１００２  携帯型外部接続機器
【図１】
2004356697.tif 000003
【図２】
2004356697.tif 000004
【図３】
2004356697.tif 000005
【図４】
2004356697.tif 000006
【図５】
2004356697.tif 000007
【図６】
2004356697.tif 000008
【図７】
2004356697.tif 000009
【図８】
2004356697.tif 000010
【図９】
2004356697.tif 000011
【図１０】
2004356697.tif 000012
【図１１】
2004356697.tif 000013